(57)【要約】【課題】  プレゼンテーションを行う説明者の機動性が確保でき、使用する機器が少なくて済む装置を提供することを目的とする。【解決手段】  レーザポインタ１０１にモニタ１０７を備え、このモニタ１０７にプレゼンテーションする内容に関するメモ等を表示する。また、レーザポインタが指し示す画像の切替え操作をモニタ１０７に表示された切り替えメニューを利用して、レーザポインタ１０１に備えた操作部１０５の操作により実行する。こうすることで、プレゼンテーションを行う説明者の機動性が確保でき、使用する機器が少なくて済む。【選択図】  図１
2005202819.tif 000002
【特許請求の範囲】
【請求項１】
表示画面に向けて用いられるポインタ装置であって、
前記表示画面上の指し示したい点を指定するポインタ機能部と、
画像情報が表示される画像表示部と
を備えたことを特徴とするポインタ装置。
【請求項２】
前記表示画面を制御する機器との通信を行う通信機能部をさらに備えることを特徴とする請求項１に記載のポインタ装置。
【請求項３】
前記表示画面上に表示される表示内容を操作する操作部をさらに備えることを特徴とする請求項１または２に記載のポインタ装置。
【発明の詳細な説明】
【技術分野】
【０００１】
本発明は、画像を指し示すポインタ装置に係り、特に画像を表示する表示装置を備えたポインタ装置に関する。
【背景技術】
【０００２】
スクリーン上に図表等の画像を投影し、プレゼンテーションを行う方法が知られている。この際、投影された図表等を指し示す道具として、レーザポインタ等のポインタ装置（ポインティングデバイス）がある。ポインタ装置としては、特許文献１や特許文献２に記載されたものが知られている。ポインタ装置は、説明者（プレゼンテーションを行う者）が手に持ち、プレゼンテーションの内容に合わせて適宜画像の投影面を指し示すために用いられる。
【０００３】
【特許文献１】特開２００２−２０７５６６号公報
【特許文献２】特開平１１―２７１６７５号公報
【発明の開示】
【発明が解決しようとする課題】
【０００４】
説明者がプレゼンテーションを行う場合、手にしたメモや資料を手にしながらプレゼンテーションを行う場合がある。この場合、説明者は、一方の手でポイント装置を持ち、表示画像を指し示し、同時に他方の手に資料やメモをもってプレゼンテーションを行っていた。
【０００５】
しかしながら、プレゼンテーションの内容やその量によっては、メモや資料が多くなり、説明者がプレゼンテーションを行いにくくなる場合があった。また、別途ノート型のパーソナル・コンピュータを適時見ながら、プレゼンテーションを行うようなやり方もあるが、説明者の機動性が犠牲になり、また説明者がプレゼンテーション中にパーソナル・コンピュータを適宜見に行かねばならないので、スムーズなプレゼンテーションが妨げられる不都合があった。また、この方法は、プレゼンテーションに用いる機器が多くなり、プレゼンテーションを行う会場での設定が煩雑になる等の不都合があった。
【０００６】
本発明は、このような不都合を解消し、説明者の機動性が確保でき、使用する機器が少なくて済む装置を提供することを目的とする。
【課題を解決するための手段】
【０００７】
本発明のポインタ装置は、表示画面に向けて用いられるポインタ装置であって、前記表示画面上の指し示したい点を指定するポインタ機能部と、画像情報が表示される画像表示部とを備えたことを特徴とする。ここで、表示画面というのは、ポインタ装置で指し示す対象となる画面である。この表示画面としては、例えば投影装置からの投影画像が表示されている状態のスクリーンを挙げることができる。
【０００８】
本発明のポインタ装置によれば、ポインタ装置に画像表示装置を備えているので、ポインティングする対象に関する情報をこの画像表示部に表示することができ、ポインタ装置をポインティングとメモ表示装置の両方の機能を有したツールとして利用することができる。これにより、使用機器を増やすことなく、また従来技術において生じていた不便さを解消したスムーズなプレゼンテーションを行うことができる。
【０００９】
本発明のポインタ装置において、表示画面を制御する機器との通信を行う通信機能部をさらに備えることが好ましい。通信機能として、有線通信および無線通信が挙げられるが、説明者の機動性を確保する点から無線通信を採用することが好ましい。表示画面を制御する機器というのは、プレゼンテーションに用いる画像の切替え処理等を行うことができる機器のこという。表示画面を制御する機器としては、例えばプレゼンテーション用のアプリケーションソフトウェアがインストールされたパーソナル・コンピュータ、後に実施形態で説明するような資料提示装置等が挙げられる。
【００１０】
本発明のポインタ装置において、表示画面上に表示される表示内容を操作する操作部をさらに備えることが好ましい。この態様によれば、例えばスクリーン上に投影される画像を利用したプレゼンテーションにおいて、ポインタ装置を操作することで、投影された画像の切替えを行うことができる。操作の内容としては、画像の拡大操作、他の画像データとの重ね表示、画像の移動操作等が挙げられる。
【００１１】
本発明のポインタ装置において、画像表示部には、前記表示画面上に表示された内容に関連した情報が表示されることが好ましい。この態様によれば、例えば投影された画像を用いたプレゼンテーションにおいて、投影された表示画面上の画像に関する説明等をポインタ装置側の画像表示装置に表示させることができ、説明者がその内容を参照するといった使い方を実現することができる。
【００１２】
また上記の態様において、操作する内容に関する情報を前記画像表示部に表示可能とし、さらにその操作を行う操作部を備えた構成とすることは好ましい。この態様によれば、ポインタ装置の画像表示装置にプレゼンテーションに利用する表示内容（例えば投影装置からスクリーン上に投影された内容）に関するメニュー画面を表示させ、そのメニュー画面を見ながらポインタ装置に備えた操作部を操作することで、プレゼンテーションを行いながらの上記表示画面の切替えを行うことができる。これにより、使用する機器を増やさず、また説明者に無駄な動きをさせることなく、スムーズにプレゼンテーションに用いる画像の切替えを実行することができる。
【００１３】
この態様によれば、ポインタ装置の画像表示装置にプレゼンテーションで利用する図表のメニューを表示させ、それを見ながら表示する図表を選択する等の操作が行えるので、プレゼンテーションに利用する図表等が多くある場合に、表示する図表の選択を速くスムーズに行うことができる。このことは、単純に「送る」／「戻る」といった操作によって、画像の切替えを行う場合の煩雑さが解消される点で有利となる。
【００１４】
ポインタ装置の画像表示部には、表示画面上に表示する画像の切替え等に利用する情報に加えて、表示画面上に表示する画像の説明等を表示することも可能であり、さらにこれらの表示内容は、階層メニューを利用することで、適宜選択することが可能である。したがって、ポインタ装置の画像表示部を利用してスクリーンに投影された画像の切替えを行い、さらにその切替えた画像の説明をポインタ装置の画像表示を参照しながら行うといったプレゼンテーションが可能となる。
【００１５】
このような使用形態において、ポインタ装置は、説明者が手にしているので、説明者は、プレゼンテーションを行いながら、スムーズに各種の操作を行うことが出来る。さらに、このような有意な機能を、機器を増やすことなく実現することができる。
【発明の効果】
【００１６】
本発明によれば、プレゼンテーションに利用する画像の任意の点を指定する機能を備えたポインタ装置がさらに画像表示部を備えているので、この画像表示部に必要な情報を表示し、説明者はこの表示を参照しながら、プレゼンテーションを行うことができる。このため、説明者は、余分な資料を持たなくても良く、また使用する機器が多くならない優位性が得られる。また、このポインタ装置に備えた画像表示部は、メモ等の参照表示以外に、プレゼンテーションの対象者に見せる画像の切替え等を行うのに利用することもできる。
【発明を実施するための最良の形態】
【００１７】
１―１．第１の実施形態の構成
図１は、本発明を利用したポインタ装置の一例であるレーザポインタを示すブロック図と模式図である。図２は、図１のレーザポインタを利用したプレゼンテーションシステムの一例を示す概念図である。
【００１８】
図１に示すレーザポインタ１０１は、アンテナ１０２、無線送受信部１０３、制御部１０４、操作部１０５、イヤホン１０６、モニタ（画像表示部）１０７、スピーカ１０８、レーザ照射スイッチ１０９、駆動回路１１０およびレーザ照射装置１１１を備えている。
【００１９】
記憶部１１２は、モニタ１０７に表示する画像データを記憶する。例えば、この画像データは、スクリーン２０４（図２参照）に投影する画像に関するメモ、その画像を切替えるための操作メニュー、アンプ内蔵スピーカ２０６（図２参照）から出力される音声データの種類やそれに関するメモ、あるいはプレゼンテーションする内容に関するメモ等が挙げられる。
【００２０】
図２には、プレゼンテーションを行う説明者２０１、レーザポインタ１０１、ノート型のパーソナル・コンピュータ２０２、投影装置２０３、スクリーン２０４およびアンプ内蔵スピーカ２０６が示されている。
【００２１】
パーソナル・コンピュータ２０２には、プレゼンテーション用のアプリケーションソフトウェアがインストールされており、このソウトウェアを利用して作成した画像データが記憶されている。この画像データは、投影装置２０３からスクリーン２０４に投影される。また、パーソナル・コンピュータ２０２は、音声データを記憶しており、この音声データは、アンプ内蔵スピーカ２０６から音として出力される。また、パーソナル・コンピュータ２０２は、レーザポインタ１０１と無線通信を行う機能を備えている。
【００２２】
１−２．第１の実施形態の動作（その１）
説明者２０１は、図１に示すレーザポインタ１０１を手に持って、スクリーン２０４に投影された画像をレーザ光２０７の光線で指し示しプレゼンテーションを行う。すなわち、手に持ったレーザポインタ１０１を動かして、レーザ照射装置１１１の指向方向をスクリーン２０４に向け、レーザ照射スイッチ１０９を押し、レーザ光線２０７をスクリーン２０４に向けて照射する。そして、レーザ光線２０７の照射点の輝点を利用して、スクリーン上に投影表示している図表等を指し示し、プレゼンテーションを行う。
【００２３】
この際、レーザポインタ１０１のモニタ１０７には、記憶部１１２に記憶されているプレゼンテーションする内容に関するメモが表示され、説明者２０１は、それを適宜見ながらプレゼンテーションを行うことができる。また、操作部１０５を操作することで、モニタ１０７に表示される内容の切替え操作、およびスクリーン２０４に投影される画像の切替え操作を行うことができる。
【００２４】
以下、スクリーン２０４に表示されている画像を切替える場合の動作例を説明する。この場合、説明者２０１は、操作部１０５を操作して、スクリーン２０４に表示する画像のメニューをモニタ１０７に表示する。説明者２０１は、このメニューを見ながら、操作部１０５を操作し、スクリーン２０４に投影させたい画像を選択する。
【００２５】
図３は、モニタ１０７に表示させたメニューの一例を示す模式図である。図３には、表１〜表４の簡単な説明が表示され、さらに表３の説明部分が選択された状態が示されている。この例では、この表３が選択された状態で、「スクリーン上に表示を行う」または「説明をモニタに表示する」の２種類のいずれかの操作を、操作部１０５を操作することによって選択することができる。ここで、「スクリーン上に表示を行う」を選択し、その操作を実行することで、図示しない表３がスクリーン２０４に投影される。
【００２６】
また、メニューを図３の状態に戻し、表３を選択した状態で、さらに「説明をモニタに表示する」を選択した場合、モニタ１０７に表３に関する更に詳細な説明が表示される。説明者２０１は、この説明を参照しながら、プレゼンテーションを行うことができる。このように、モニタ１０７に階層メニューを表示し、その表示を利用して、スクリーン２０４上に投影される画像の切替え操作と、この投影画像に関する説明のモニタ１０７への表示操作とを行うことができる。
【００２７】
操作部１０５の詳細な操作方法を上述した操作の例に基づいて説明する。図示した操作部１０５には、上下左右ボタンおよび中心ボタンが配置された例が示されている。この場合、上下ボタンを押すことで、表１〜表４の何れかを選択する。そして、表１〜表４のいずれかを選択した状態において、左または右ボタンを押すことで、「スクリーン上に表示を行う」または「説明を表示する」のいずれかの操作方法を選択する。この状態において、さらに中心ボタンを押すことで、左右ボタンで選択した上記操作方法のいずれかの操作が実行される。
【００２８】
ここでは、モニタ１０７を用いた操作内容として、スクリーン２０４への投影画像の切替え操作とモニタ１０７への説明文の表示する場合を例として説明したが、その他の操作内容を実現する事も可能である。例えば、図３に示すような表３を選択した状態において、操作部１０５の左ボタンを押すと、さらに複数種類の操作内容がモニタ１０７に表示され、その操作内容の一つを選択し、中心ボタンで実行するような階層メニューを採用することもできる。複数の操作内容としては、表３の一部の拡大表示、表３をグラフ化した線図の表示、表３にさらに他の要素を合成した表の表示、表３を別の観点から整理した表の表示、といった例を挙げることができる。また、操作部１０５を操作することで、スクリーン２０４に表示している画像を拡大表示するような操作を行っても良い。
【００２９】
次に上述の動作における信号の流れを説明する。この場合、説明者２０１によって、画像を切替える操作がレーザポインタ１０１の操作部１０５に対して行われると、その操作内容を反映した制御信号が制御部１０４で生成され、その制御信号は、無線送受信部１０３およびアンテナ１０２を介して、パーソナル・コンピュータ２０２に電波信号２０５として送られる。この制御信号を受けて、パーソナル・コンピュータ２０２は、プレゼンテーション用のアプリケーションソフトウェアを使って所定の処理を行い、投影装置２０３から投影される画像を切替える。
【００３０】
次に音声データを利用する場合の例を説明する。例えば、プレゼンテーションの途中でスピーカ２０６から所定の音声を出力させたい場合を説明する。この場合、説明者２０１は、レーザポインタ１０１の操作部１０５を操作して、モニタ１０７に音声データのメニューを表示する。そして、所定の音声データを選択し、それをスピーカ２０６から出力させる旨の選択を行う。この選択内容を指示する制御信号は、レーザポインタ１０１からパーソナル・コンピュータ２０２に送られ、所定の音声信号がスピーカ２０６から出力される。
【００３１】
この際、説明者２０１は、スピーカ２０６から主力される音声をイヤホン１０６または内蔵スピーカ１０８を用いて聴取することができる。この機能は、例えばプレゼンテーションを受ける人々がイヤホンで音声を聴いている場合等に有効となる。
【００３２】
音声は、音であれば、特に限定されない。例えば、防音技術に関するプレゼンテーションであれば、音声として騒音を用いることができ、ノイズ抑制技術に関するプレゼンテーションであれば、音声としてノイズ音を用いることができる。
【００３３】
１−３．第１の実施形態の動作（その２）
レーザポインタ１０１のモニタ１０７に表示する画像のデータを、パーソナル・コンピュータ２０２に記憶させておいてもよい。この場合、レーザポインタ１０１は、パーソナル・コンピュータ２０２から画像のデータを受け取り、モニタ１０７に表示する。
【００３４】
この構成では、パーソナル・コンピュータ２０２にインストールされたプレゼンテーション用アプリケーションソフトウェアを利用して、スクリーン２０４に投影する画像のデータ（主画像データ）とモニタに表示する画像（副画像データ）のデータの両方を用意する。そして、操作部１０９の操作によってパーソナル・コンピュータ２０２内に記憶された副画像データが読み出され、モニタ１０７に表示される。この構成においても、モニタ１０７を利用した各種の操作を行うことができる。
【００３５】
２−１．第２の実施形態の構成
第２の実施形態は、プレゼンテーションに利用する表示画面上にポイント画像を合成表示する形態に関する。第１の実施形態では、ポインタから照射されるレーザ光をスクリーンに向けて照射し、その照射点の輝点（反射点）をポイント画像として利用している。本実施形態では、資料提示装置に載せた資料の任意の場所をライトペンで指し示すと、その指し示した位置を資料提示装置側で判別し、投影される資料の撮像画像中にポイント画像（例えば矢印画像）を合成するシステムを説明する。
【００３６】
図４は、本発明を利用したライトペンの一例を示すブロック図と模式図である。図５は、図４に示すライトペンを使用するプレゼンテーションシステムの概要を示す模式図である。図６は、図５に示す資料提示装置の概要を示すブロック図である。
【００３７】
本実施形態のライトペン４０１は、アンテナ４０２、無線送受信部４０３、制御部４０４、操作部４０５、イヤホン４０６、モニタ（画像表示部）４０７、スピーカ４０８、光照射スイッチ４０９、駆動回路４１０および発光部４１１を備えている。
【００３８】
記憶部４０５は、モニタ４０７に表示する画像データを記憶する。例えば、この画像データは、スクリーン５０８（図５参照）に投影する画像に関するメモ、その画像の切替えに関する操作メニュー、あるいはプレゼンテーションする内容に関するメモ等が挙げられる。発光部４１１は、光照射スイッチ４０９が操作されることで、赤外領域の光を含む光を発光する。
【００３９】
図５には、資料提示装置５０１、資料５０６が置かれる載置面５０２、資料５０６を撮像する撮像部５０３、撮像部５０３の前に配置可能な光学フィルタ５０４、ライトペン４０１と通信を行うためのアンテナ５０５、投影装置５０７、投影装置５０７から画像が投影されるスクリーン５０８およびスクリーン５０８の表示面（表示画面）に表示されたポイント画像５０９が示されている。
【００４０】
図６に示すように、資料提示装置５０１においては、撮像部５０３によって資料５０６（図５参照）の撮像が行われる。撮像された画像データは、画像取り込み部５１１で取り込まれる。画像取り込み部５１１は、画像データを画像合成部５１３およびポイント画像生成部５１４に送る機能を有する。記憶部５１２、画像比較部５１３、ポイント画像生成部５１４および画像合成部５１５の機能については、後述する。
【００４１】
資料提示装置５０１は、載置面５０２に置かれた資料５０６を撮像部５０３で撮像し、その画像データを投影装置５０７に送る。投影装置５０７は資料提示装置５０１から送られてきた画像データに基づき画像をスクリーン５０８に投影する。こうして、載置面５０２上に置かれた資料５０６がスクリーン５０８に投影される。
【００４２】
また、資料提示装置５０１は、資料５０６のライトペン４０１により指し示された点を読み取り、スクリーン５０８上の対応する位置にポイント画像５０９を表示する機能を有している。この機能により、図示しない説明者が、手にしたライトペン４０１を操作して載置面５０２上に置かれた資料５０６の任意の点を指し示すと、その点に対応するスクリーン５０８上の位置にポイント画像５０９が表示される。説明者は、このポイント画像５０９をスクリーン５０８上において任意に動かし、プレゼンテーションを行うことができる。
【００４３】
２−２．実施形態２の動作
まず、本実施形態におけるライトペンを用いたポイント画像の表示位置の制御について説明する。図７は、資料提示装置５０１内で行われる処理手順の一例を示すフローチャートである。
【００４４】
資料提示装置５０１の電源スイッチ（図示せず）がＯＮにされると、処理が開始される。まず載置面５０２に資料５０６が載せられているか、が判断され（Ｓ７０１）、載置面５０２に資料５０６が載せられていれば、ステップＳ７０２に進み、そうでなければステップＳ７０１を繰り返す。資料５０６が載置面５０２に載せられているか否かの判断は、図示しない光学センサーを用いて行う。ステップＳ７０２では、載置面５０２に載せられた資料５０６を撮像部５０３で撮像する。この際、光学フィルタ５０４は光路から外しておく。また、撮像した画像は画像取り込み部５１１において取り込まれる。
【００４５】
次に、載置面５０２に置かれた資料５０６が新たな資料であるか否かを判断する（ステップＳ７０３）。すなわち、画像比較部５１３において、撮像部５０３で撮像した画像データと記憶部５１２に記憶されている画像データとを比較し、新たな資料か否かを判断し、新たな資料であればＹＥＳ、そうでなければＮＯと判断する。
【００４６】
ステップ７０３の判断がＹＥＳである場合、撮像した資料の画像を記憶部５１２に記憶する（ステップＳ７０４）。ここで、載置面５０２に載せられる資料５０６が新たな資料に置き換えられた場合、記憶部５１２の画像情報は書き換えられることになる。なお、ステップＳ７０３の判断がＮＯである場合、ステップＳ７０６に進む。
【００４７】
撮像した画像を記憶したら（ステップＳ７０４）、その記憶した画像は画像合成部５１５を介して投影装置５０７に送られ、投影装置５０７からスクリーン５０８に投影される（ステップＳ７０５）。すなわち、載置面５０２に新たな資料が置かれると、それは撮像部５０３で撮像され、スクリーン５０８に投影される。また、載置面５０２に新たな資料が置かれない場合、ステップＳ７０３からステップＳ７０６に進むので、投影されている画像の変更は行われない。
【００４８】
ステップＳ７０６では、ライトペンの光照射スイッチ４０９（図４参照）がＯＮにされたか、が判断され、判断結果がＹＥＳであればステップＳ７０７に進み、そうでなければステップＳ７０１の前段階に戻る。
【００４９】
ステップＳ７０７では、光学フィルタ５０４が光路に挿入され、撮像部５０３は光学フィルタ５０４を介して資料５０６を撮像する状態に移行する。光学フィルタ５０４は、赤外光領域の波長を選択的に透過するバンドパスフィルタ機能を有しているので、光学フィルタ５０４が光路に挿入されると、ライトペン４０１の指向位置からの赤外光の反射光が撮像部５０３において選択的に検出されることとなる。
【００５０】
そして、ポイント画像生成部５１４において、取得した取り込み画像に基づいてポイント画像を生成し、それをポイント画像合成部５１５において、スクリーン５０８に投影している画像に合成する処理を行い、ポイント画像を資料５０６の画像に合成した合成画像を得る（ステップＳ７０８）。こうして、ライトペンにより、資料５０６上の指し示した位置にポイント画像が位置する合成画像が得られる。
【００５１】
ついで、この合成画像を投影装置５０７からスクリーン上に投影する（ステップＳ７０９）。こうして、ライトペン４０１で指し示した資料５０６の任意の点に対応するスクリーン５０８の投影画面上の位置にポイント画像５０９が表示される。このポイント画像５０９は、ライトペン４０１による資料５０６上の指し示された点の移動に追従して、スクリーン５０８上で移動する。
【００５２】
そして、資料提示装置５０１の電源スイッチ（図示せず）がＯＦＦになっていれば、処理終了ということで、ステップＳ７１０の判断がＹＥＳとなり、処理を終了する。また、電源スイッチがＯＮのままであれば、ステップＳ７０１の前段階に戻り、ステップＳ７０１以下の処理が繰り返される。
【００５３】
こうして、載置面上に置かれた資料を任意の点をライトペンで指し示すと、スクリーン上に投影された資料の画像の対応する位置にポイント画像が表示される。このポイント画像は、ライトペンの指向位置を動かせば、その動きに追従して表示される位置が移動する。こうして、スクリーン上に投影された資料の画像をポイント画像で指し示しながらのプレゼンテーションを行うことができる。
【００５４】
本実施形態において、ライトペンのモニタにスクリーンに投影する画像に関するメモ等を表示することができる。説明者は、このメモ等を参照しながらプレゼンテーションを行うことができる。例えば、モニタにプレゼンテーションのスケジュールや要点を表示させておけば、それを参照することで、プレゼンテーションを円滑に進行させることができる。このモニタに表示する内容は、階層表示メニューとすることができ、多様な情報を効率よく利用することができる。
【００５５】
また、プレゼンテーションにおいて、スクリーン上に表示する画像に加えて、音声データを利用することもできる。この場合、図示しないスピーカから出力する音声データの切替えや出力タイミングの制御等をライトペンの操作部を操作することで行うことができる。
【００５６】
また、記憶部５１２に画像データを記憶させておき、ポインタ４０１の操作部４０５を操作することで、この画像データを読み出し、スクリーン５０８に投影することもできる。この場合、画像の切替え操作を図３に示した例により説明したような階層メニュー表示を用いたものとすることができる。このシステムによれば、紙媒体で用意した資料または電子媒体に記憶した画像データの中から一方を適宜選択してスクリーン５０８上に投影することができる。
【００５７】
３．他の実施形態
実施形態１または実施形態２において、レーザポインタと外部との通信、あるいはライトペンと外部との通信方法として、高周波（例えばＧＨｚオーダーの周波数）による無線通信以外に、有線、光ファイバーを用いた通信、空間波を直接用いる光通信、超音波を用いた通信等を利用することもできる。また、レーザポインタあるいはライトペンに備える記憶部は、筐体から取り外し可能なものであってもよい。また、音声の伝達方法は、プレゼンテーションを受ける側の視聴者に音声信号を送り、視聴者側に用意した受信装置を用いて、聴取者がイヤホン等で聴取する方法でもよい。
【産業上の利用可能性】
【００５８】
本発明は、プレゼンテーションに用いるポインタ装置（ポインティングデバイス）に利用することができる。本発明を利用したポインタ装置は、説明者が必要とするメモ等を表示する画像表示部を備えているので、使用機器を増やすことなく、説明者に使い勝手のよいプレゼンテーション用ツールが提供される。また説明者は、このポインタ装置の画像表示部の表示内容を用いて、各種の制御を行うことができる。
【図面の簡単な説明】
【００５９】
【図１】発明を利用したレーザポインタ装置の一例を示すブロック図と模式図である。
【図２】発明を利用したプレゼンテーションシステムの概要を示す模式図である。
【図３】発明を利用したレーザポインタ装置の使用状態を示す模式図である。
【図４】発明を利用したライトペンの一例を示すブロック図と模式図である。
【図５】発明を利用したプレゼンテーションシステムの概要を示す模式図である。
【図６】資料提示装置の概要を示すブロック図である。
【図７】資料提示装置で行われる処理の一例を示すフローチャートである。
【符号の説明】
【００６０】
１０１…レーザポインタ、１０２…アンテナ、１０３…無線送受信部、１０４…制御部、１０５…操作部、１０６…イヤホン、１０７…モニタ（画像表示部）、１０８…スピーカ、１０９…レーザ照射スイッチ、１１０…駆動回路、１１１…レーザ照射装置、２０１…説明者、２０２…パーソナル・コンピュータ、２０３…投影装置、２０４…スクリーン、２０５…電波信号、２０６…アンプ内蔵スピーカ、４０１…ライトペン、４０２…アンテナ、４０３…無線送受信部、４０４…制御部、４０５…操作部、４０６…イヤホン、４０７…モニタ（画像表示部）、４０８…スピーカ、４０９…光照射スイッチ、４１０…駆動回路、４１１…レーザ照射装置、５０１…資料提示装置、５０２…載置面、５０３…撮像部、５０４…光学フィルタ、５０５…アンテナ、５０６…資料、５０７…投影装置、５０８…スクリーン、５０９…ポイント画像、５１１…画像取り込み部、５１２…記憶部、５１３…画像比較部、５１４…ポイント画像生成部、５１５…画像合成部。
【図１】
2005202819.tif 000003
【図２】
2005202819.tif 000004
【図３】
2005202819.tif 000005
【図４】
2005202819.tif 000006
【図５】
2005202819.tif 000007
【図６】
2005202819.tif 000008
【図７】
2005202819.tif 000009